(57)【要約】【課題】本発明は、特定パターンと異なるエラーを含むパターンを受信しても、特定パターンの再サーチを行なわず、同期がとれていたときと同じような動作を継続する同期確立回路、誤り率測定装置、同期確立方法及び誤り率測定方法の提供を目的とする。【解決手段】本願発明の同期確立回路１０１は、予め定められた一定周期の特定パターンを入力信号から検出して一致カウンタを更新し、一致カウンタの計数する数が予め定められた後方保護段数を連続して超えると同期状態と判定して、一定周期の同期を維持し、同期状態と判定した後は、特定パターンの検出に関わらず一定周期の同期を連続して維持することを特徴とする。【選択図】図１
2011082890.tif 000002
【特許請求の範囲】
【請求項１】
予め定められた一定周期の特定パターンを入力信号から検出して一致カウンタ（２１）を更新し、前記一致カウンタの計数する数が予め定められた後方保護段数を連続して超えると同期状態と判定して、前記一定周期の同期を維持し、同期状態と判定した後は、前記特定パターンの検出に関わらず前記一定周期の同期を連続して維持することを特徴とする同期確立回路。
【請求項２】
予め定められた一定周期の特定パターンを入力信号から検出して一致カウンタ（２１）を更新し、前記一致カウンタの計数する数が予め定められた後方保護段数を連続して超えると同期状態と判定して、前記一定周期の同期を維持し、
前記特定パターンが前記一定周期で配置されていないことを検出したときに不一致カウンタ（２２）を更新し、前記不一致カウンタの計数する数が予め定められた前方保護段数を連続して超えるとサーチ状態と判定して、前記一定周期の同期を外す同期確立回路（１０１）であって、
前記不一致カウンタが前記前方保護段数を超えてもサーチ状態に移行させない前方保護維持スイッチ（１１）を備える同期確立回路。
【請求項３】
前記入力信号は、フレーム同期信号を一部に含むフレームパターン信号であり、
前記特定パターンは、前記フレーム同期信号であり、
同期を維持している間は前記一定周期で同期信号を出力することを特徴とする請求項１又は２に記載の同期確立回路。
【請求項４】
前記入力信号は、ＰＲＢＳ（Ｐｓｅｕｄｏ  Ｒａｎｄｏｍ  Ｂｉｎａｒｙ  Ｓｅｑｕｅｎｃｅ）信号であり、
前記特定パターンは、前記ＰＲＢＳ信号全体であり、
同期を維持している間は前記一定周期を維持して前記ＰＲＢＳ信号を出力することを特徴とする請求項１又は２に記載の同期確立回路。
【請求項５】
シリアル信号をパラレル信号に変換するシリアル−パラレル変換部と、
前記シリアル−パラレル変換部からのパラレル信号が前記入力信号として入力される、請求項１から４のいずれかに記載の同期確立回路と、
前記一定周期の同期を維持するアライメント値が前記同期確立回路から入力され、前記シリアル−パラレル変換部から入力されたパラレル信号のデータを前記アライメント値に従ってシフトするデータアライメント部と、
前記データアライメント部からのパラレル信号に含まれる符号誤りを検出するエラー検出回路と、
を備える誤り率測定装置。
【請求項６】
予め定められた一定周期の特定パターンを入力信号から検出して一致カウンタ（２１）を更新し、前記一致カウンタの計数する数が予め定められた後方保護段数を連続して超えると同期状態と判定して、前記一定周期の同期を維持し、同期状態と判定した後は、前記特定パターンの検出に関わらず前記一定周期の同期を連続して維持することを特徴とする同期確立方法。
【請求項７】
前記入力信号は、フレーム同期信号を一部に含むフレームパターン信号であり、
前記特定パターンは、前記フレーム同期信号であり、
同期を維持している間は前記一定周期で同期信号を出力することを特徴とする請求項６に記載の同期確立方法。
【請求項８】
前記入力信号は、ＰＲＢＳ（Ｐｓｅｕｄｏ  Ｒａｎｄｏｍ  Ｂｉｎａｒｙ  Ｓｅｑｕｅｎｃｅ）信号であり、
前記特定パターンは、前記ＰＲＢＳ信号全体であり、
同期を維持している間は前記一定周期を維持して前記ＰＲＢＳ信号を出力することを特徴とする請求項６に記載の同期確立方法。
【請求項９】
シリアル信号をパラレル信号に変換するシリアル−パラレル変換手順と、
前記シリアル−パラレル変換手順で変換したパラレル信号が前記入力信号として入力され、請求項６から８のいずれかに記載の同期確立方法を実行する同期確立手順と、
前記一定周期の同期を維持するアライメント値を用いて、前記シリアル−パラレル変換手順で変換されたパラレル信号のデータを前記アライメント値に従ってシフトするデータアライメント手順と、
前記データアライメント手順でデータをシフトされたパラレル信号に含まれる符号誤りを検出するエラー検出手順と、
を順に有する誤り率測定方法。
【発明の詳細な説明】
【技術分野】
【０００１】
本発明は、予め定められた一定周期の特定パターンを検出して同期を確立する同期確立回路及びこれを用いた誤り率測定装置に関する。
【背景技術】
【０００２】
データ通信を行なう被測定物を試験するための誤り率測定装置が提案されている（例えば、特許文献１参照。）。特許文献１に記載された誤り率測定装置では、デジタルデータ信号にエラーを故意に導入して試験信号を発生し、この試験信号に応答したシステムの出力を既知のデジタルデータ信号と比較して、導入したエラーによってどのような劣化が生じたかを判断する。
【先行技術文献】
【特許文献】
【０００３】
【特許文献１】特開２００２−３３０１９２号公報
【発明の概要】
【発明が解決しようとする課題】
【０００４】
特許文献１に記載の誤り率測定装置では、特定パターンと異なるエラーを含むパターンを連続して受信すると特定パターンの再サーチを行なうため、導入するエラーによっては被測定物の試験ができなくなることがあった。
【０００５】
そこで、本発明は、特定パターンと異なるエラーを含むパターンを受信しても、特定パターンの再サーチを行なわず、同期がとれていたときと同じような動作を継続する同期確立回路、誤り率測定装置、同期確立方法及び誤り率測定方法の提供を目的とする。
【課題を解決するための手段】
【０００６】
上記目的を達成するために、本願発明の同期確立回路は、予め定められた一定周期の特定パターンを入力信号から検出して一致カウンタ（２１）を更新し、前記一致カウンタの計数する数が予め定められた後方保護段数を連続して超えると同期状態と判定して、前記一定周期の同期を維持し、同期状態と判定した後は、前記特定パターンの検出に関わらず前記一定周期の同期を連続して維持することを特徴とする。
【０００７】
特定パターンの検出に関わらず一定周期の同期を連続して維持するため、同期状態と判定した後は前方保護を維持し続けることができる。したがって、特定パターンと異なるエラーを含むパターンを受信しても、特定パターンの再サーチを行なわず、同期がとれていたときと同じような動作を継続する同期確立回路を提供することができる。
【０００８】
上記目的を達成するために、本願発明の同期確立回路は、予め定められた一定周期の特定パターンを入力信号から検出して一致カウンタ（２１）を更新し、前記一致カウンタの計数する数が予め定められた後方保護段数を連続して超えると同期状態と判定して、前記一定周期の同期を維持し、前記特定パターンが前記一定周期で配置されていないことを検出したときに不一致カウンタ（２２）を更新し、前記不一致カウンタの計数する数が予め定められた前方保護段数を連続して超えるとサーチ状態と判定して、前記一定周期の同期を外す同期確立回路（１０１）であって、前記不一致カウンタが前記前方保護段数を超えてもサーチ状態に移行させない前方保護維持スイッチ（１１）を備える。
【０００９】
前方保護維持スイッチを備えるため、再サーチの実行の有無を選択することができる。このため、誤り率測定時には、再サーチを行なわずに前方保護を維持し続けることができる。したがって、特定パターンと異なるエラーを含むパターンを受信しても、特定パターンの再サーチを行なわず、同期がとれていたときと同じような動作を継続する同期確立回路を提供することができる。
【００１０】
本願発明の同期確立回路では、前記入力信号は、フレーム同期信号を一部に含むフレームパターン信号であり、前記特定パターンは、前記フレーム同期信号であり、同期を維持している間は前記一定周期で同期信号を出力することを特徴とする。
【００１１】
本願発明の同期確立回路では、前記入力信号は、ＰＲＢＳ（Ｐｓｅｕｄｏ  Ｒａｎｄｏｍ  Ｂｉｎａｒｙ  Ｓｅｑｕｅｎｃｅ）信号であり、前記特定パターンは、前記ＰＲＢＳ信号全体であり、同期を維持している間は前記一定周期を維持して前記ＰＲＢＳ信号を出力することを特徴とする。
【００１２】
上記目的を達成するために、本願発明の誤り率測定装置は、シリアル信号をパラレル信号に変換するシリアル−パラレル変換部と、前記シリアル−パラレル変換部からのパラレル信号が前記入力信号として入力される、本発明に係る同期確立回路と、前記一定周期の同期を維持するアライメント値が前記同期確立回路から入力され、前記シリアル−パラレル変換部から入力されたパラレル信号のデータを前記アライメント値に従ってシフトするデータアライメント部と、前記データアライメント部からのパラレル信号に含まれる符号誤りを検出するエラー検出回路と、を備える。
【００１３】
本願発明の誤り率測定装置は、本発明に係る同期確立回路を備えるため、同期状態と判定した後は前方保護を維持し続けることができる。したがって、特定パターンと異なるエラーを含むパターンを受信しても、特定パターンの再サーチを行なわず、同期がとれていたときと同じような動作を継続する誤り率測定装置を提供することができる。
【００１４】
上記目的を達成するために、本願発明の同期確立方法は、予め定められた一定周期の特定パターンを入力信号から検出して一致カウンタ（２１）を更新し、前記一致カウンタの計数する数が予め定められた後方保護段数を連続して超えると同期状態と判定して、前記一定周期の同期を維持し、同期状態と判定した後は、前記特定パターンの検出に関わらず前記一定周期の同期を連続して維持することを特徴とする。
【００１５】
特定パターンの検出に関わらず一定周期の同期を連続して維持するため、同期状態と判定した後は前方保護を維持し続けることができる。したがって、特定パターンと異なるエラーを含むパターンを受信しても、特定パターンの再サーチを行なわず、同期がとれていたときと同じような動作を継続する同期確立方法を提供することができる。
【００１６】
本願発明の同期確立方法では、前記入力信号は、フレーム同期信号を一部に含むフレームパターン信号であり、前記特定パターンは、前記フレーム同期信号であり、同期を維持している間は前記一定周期で同期信号を出力することを特徴とする。
【００１７】
本願発明の同期確立方法では、前記入力信号は、ＰＲＢＳ（Ｐｓｅｕｄｏ  Ｒａｎｄｏｍ  Ｂｉｎａｒｙ  Ｓｅｑｕｅｎｃｅ）信号であり、前記特定パターンは、前記ＰＲＢＳ信号全体であり、同期を維持している間は前記一定周期を維持して前記ＰＲＢＳ信号を出力することを特徴とする。
【００１８】
上記目的を達成するために、本願発明の誤り率測定方法は、シリアル信号をパラレル信号に変換するシリアル−パラレル変換手順と、前記シリアル−パラレル変換手順で変換したパラレル信号が前記入力信号として入力され、本発明に係る同期確立方法を実行する同期確立手順と、前記一定周期の同期を維持するアライメント値を用いて、前記シリアル−パラレル変換手順で変換されたパラレル信号のデータを前記アライメント値に従ってシフトするデータアライメント手順と、前記データアライメント手順でデータをシフトされたパラレル信号に含まれる符号誤りを検出するエラー検出手順と、を順に有する。
【００１９】
本願発明の誤り率測定方法は、本願発明に係る同期確立方法を実行するため、同期状態と判定した後は前方保護を維持し続けることができる。したがって、特定パターンと異なるエラーを含むパターンを受信しても、特定パターンの再サーチを行なわず、同期がとれていたときと同じような動作を継続する誤り率測定方法を提供することができる。
【００２０】
なお、上記各発明は、可能な限り組み合わせることができる。
【発明の効果】
【００２１】
本発明によれば、特定パターンと異なるエラーを含むパターンを受信しても、特定パターンの再サーチを行なわず、同期がとれていたときと同じような動作を継続することができる。
【図面の簡単な説明】
【００２２】
【図１】実施形態１に係る同期確立回路の構成例を示す。
【図２】実施形態１に係る同期確立回路の具体的な構成例を示す。
【図３】カウント部の具体例を示す。
【図４】入力信号がフレームパターン信号である場合の同期確立回路の構成例を示す。
【図５】入力信号がＰＲＢＳ信号である場合の同期確立回路の構成例を示す。
【図６】本実施形態に係る同期確立方法を実行しない場合の同期確立回路の動作例を示す。
【図７】本実施形態に係る同期確立方法を実行する場合の同期確立回路の動作例を示す。
【図８】前方保護状態を維持する場合の再同期判定部の構成例を示す。
【発明を実施するための形態】
【００２３】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２４】
（実施形態１）
図１に、本実施形態に係る同期確立回路の構成例を示す。本実施形態に係る同期確立回路１０１及びデータアライメント部９１は、シリアル−パラレル変換部９２から入力信号が入力される。そして、同期確立回路１０１は、本実施形態に係る同期確立方法を実行する。
【００２５】
本実施形態に係る同期確立方法は、予め定められた一定周期の特定パターンを入力信号から検出して同期状態を判定し、前記一定周期の同期を維持し、同期状態と判定した後は、前記特定パターンの検出に関わらず前記一定周期の同期を連続して維持する。
【００２６】
図２に、本実施形態に係る同期確立回路の具体的な構成例を示す。本実施形態に係る同期確立回路１０１は、前方保護維持スイッチ１１と、再同期判定部１２と、特定パターン格納部１３と、データ比較部１４と、カウント部１５と、を備える。
【００２７】
特定パターン格納部１３は、特定パターンを格納する。特定パターンは、入力信号に予め定められた一定周期で埋め込まれているパターンである。例えば、入力信号がフレーム同期信号を一部に含むフレームパターン信号であれば、特定パターンはフレーム同期信号である。入力信号がＰＲＢＳ信号であれば、特定パターンはＰＲＢＳ信号全体である。
【００２８】
データ比較部１４は、特定パターン格納部１３に格納されている特定パターンを入力信号から検出する。そして、特定パターンを検出したか否かをカウント部１５に出力する。カウント部１５は、データ比較部１４からの出力信号に応じて計数する。
【００２９】
図３に、カウント部の具体例を示す。カウント部１５は、一致カウンタ２１と、不一致カウンタ２２と、を備える。データ比較部（図２に示す符号１４）が特定パターンを入力信号から検出すると、一致カウンタ２１はカウンタ値Ｎを１つ上げてそのカウンタ値Ｎを出力し、不一致カウンタ２２はカウンタ値Ｍをゼロにリセットする。データ比較部（図２に示す符号１４）が特定パターンを入力信号から検出しないと、一致カウンタ２１はカウンタ値Ｎをゼロにリセットし、不一致カウンタ２２はカウンタ値Ｍを１つ上げてそのカウンタ値を出力する。
【００３０】
再同期判定部１２は、カウント部１５からのカウンタ値に応じて再サーチを行なうか否かを判定する。例えば、同期確立回路１０１の外部から再サーチ開始しきい値が入力され、カウンタ値が再サーチ開始しきい値を超えたか否かを判定する。この場合、カウンタ値が再サーチ開始しきい値を超えると再サーチを行なう旨判定し、カウンタ値が再サーチ開始しきい値を超えなければ再サーチを行なわない旨判定する。再サーチを行なう場合、再同期判定部１２は、再サーチ開始フラグを特定パターン格納部１３に出力する。
【００３１】
前方保護維持スイッチ１１は、同期確立回路１０１の外部からの動作指示信号に応じて再サーチオン／オフ信号を出力して、再サーチを行なうか否かを切り替える。動作指示信号は、例えば、キーボードやスイッチなどの信号入力手段を用いて入力する。前方保護維持スイッチ１１が再サーチオフ信号を再同期判定部１２に入力する場合、再同期判定部１２は、不一致カウンタ２２のカウンタ値が前方保護段数を超えても、サーチ状態に移行させない。一方、前方保護維持スイッチ１１が再サーチオン信号を再同期判定部１２に入力する場合、再同期判定部１２は、不一致カウンタ２２のカウンタ値が前方保護段数を超えると、サーチ状態に移行させる。
【００３２】
前方保護維持スイッチ１１が再サーチオフ信号を再同期判定部１２に入力した場合、再同期判定部１２は、再サーチ開始フラグの出力を停止する。これにより、サーチ状態に移行しないため、一定周期の同期を連続して維持することができる。前方保護維持スイッチ１１が再サーチオン信号を再同期判定部１２に入力した場合、再同期判定部１２は、不一致カウンタ２２が前方保護段数を超えたときに、再サーチを行なう旨判定し、再サーチ開始フラグを出力する。これにより、サーチ状態に移行する。
【００３３】
ここで、図４に、入力信号がフレームパターン信号である場合の同期確立回路の構成例を示す。特定パターン格納部１３は、フレーム同期信号を特定パターンとして格納する。データ比較部１４は、フレーム同期信号を入力信号から検出する。再同期判定部１２は、同期状態と判定するとアライメント設定値をデータアライメント部９１に出力する。そして、同期を維持している間、特定パターン格納部１３は、一定周期でフレーム同期信号をデータ比較部１４に出力する。
【００３４】
図５に、入力信号がＰＲＢＳ信号である場合の同期確立回路の構成例を示す。特定パターン格納部１３は、ＰＲＢＳ信号全体を特定パターンとして格納する。特定パターンは、入力信号から取得することができる。データ比較部１４は、特定パターン格納部１３からのＰＲＢＳ信号と入力信号が一致するか否かを検出する。同期を維持している間、特定パターン格納部１３は、一定周期を維持してＰＲＢＳ信号をデータ比較部１４に出力する。
【００３５】
次に、前方保護維持スイッチ１１が再サーチオン信号を出力した場合の同期確立回路１０１の動作例について説明する。この場合、同期確立回路１０１は本実施形態に係る同期確立方法を実行しない。図６に、本実施形態に係る同期確立方法を実行しない場合の同期確立回路１０１の動作例を示す。
【００３６】
手順Ｓ１１１では、データ比較部１４で入力信号と特定パターンとの比較を行い、入力信号が特定パターンと一致するか否かを判定する。このとき、一致すれば手順Ｓ１１３へ移行し、一致しなければ手順Ｓ１１２へ移行する。
【００３７】
手順Ｓ１１２では、ビットをシフトさせた再サーチ開始フラグを再同期判定部１２から出力する。これにより、前回のサーチ位置と異なる位置で特定パターンを検出する。また、このとき、一致カウンタ２１のカウンタ値をゼロにリセットする。そして、手順Ｓ１１１へ移行する。このように、手順Ｓ１１１と手順Ｓ１１２を繰り返す間、サーチ状態となる。
【００３８】
手順Ｓ１１３では、一致カウンタ２１のカウンタ値Ｎを１上げる。そして、手順Ｓ１１４へ移行する。
【００３９】
手順Ｓ１１４では、再同期判定部１２で一致カウンタ２１のカウンタ値Ｎが３を超えたか否かを判定する。
このとき、カウンタ値Ｎが３を超えていれば手順Ｓ１１５へ移行する。これにより、同期状態となる。このように、予め定められた一定周期の特定パターンを入力信号から検出して一致カウンタ２１を更新し、一致カウンタ２１の計数する数が予め定められた後方保護段数である３を連続して超えると同期状態と判定する。
【００４０】
一方、手順Ｓ１１４において、カウンタ値Ｎが３を超えていなければ手順Ｓ１１１へ移行する。このように、手順Ｓ１１１と手順Ｓ１１３と手順Ｓ１１４を繰り返す間、後方維持状態となる。
【００４１】
なお、手順Ｓ１１４では、再同期判定部１２で一致カウンタ２１のカウンタ値Ｎが３を超えたか否かを判定するとしたが、これに限定されない。後方保護段数は、同期状態となったか否かが判定できる任意の値とすることができる。
【００４２】
手順Ｓ１１５では、データ比較部１４で入力信号と特定パターンとの比較を行い、特定パターンが一定周期で配置されているか否かを判定する。例えば、入力信号に一定周期に配置されている符号が特定パターンと一致するか否かを判定する。このとき、一致すれば手順Ｓ１１６へ移行する。これにより、一定周期の同期を維持する同期状態となる。一方、一致しなければ手順Ｓ１１７へ移行する。これにより、前方保護状態に入る。
【００４３】
手順Ｓ１１６では、不一致カウンタ２２のカウンタ値Ｍをゼロにリセットする。そして、手順Ｓ１１５に移行する。このように、手順Ｓ１１５と手順Ｓ１１６を繰り返す間、同期状態となる。
【００４４】
手順Ｓ１１７では、不一致カウンタ２２のカウンタ値Ｍを１上げる。そして、手順Ｓ１１８へ移行する。このように、特定パターンが一定周期で配置されていないことを検出したときに不一致カウンタ２２を更新する。
【００４５】
手順Ｓ１１８では、再同期判定部１２で不一致カウンタ２２のカウンタ値Ｍが３を超えたか否かを判定する。このとき、カウンタ値Ｍが３を超えていなければ手順Ｓ１１５へ移行する。このように、手順Ｓ１１５と手順Ｓ１１７と手順Ｓ１１８を繰り返す間、前方保護状態となる。
【００４６】
一方、手順Ｓ１１８において、カウンタ値Ｍが３を超えていれば手順Ｓ１１１へ移行する。このとき、手順Ｓ１１９を実行し、一致カウンタ２１のリセットを行なう。これにより、サーチ状態となる。そして、手順Ｓ１１１と手順Ｓ１１２を繰り返して、再度サーチを行なう。このように、不一致カウンタ２２の計数する数が予め定められた前方保護段数である３を連続して超えるとサーチ状態と判定して、一定周期の同期を外す。
【００４７】
なお、手順Ｓ１１８では、再同期判定部１２で不一致カウンタ２２のカウンタ値Ｍが３を超えたか否かを判定するとしたが、これに限定されない。前方保護段数は、同期状態から外れたか否かを判定することのできる任意の値とすることができる。
【００４８】
次に、前方保護維持スイッチ１１が再サーチオフ信号を出力した場合の同期確立回路１０１の動作例について説明する。この場合、同期確立回路１０１は本実施形態に係る同期確立方法を実行する。図７に、本実施形態に係る同期確立方法を実行する場合の同期確立回路１０１の動作例を示す。本実施形態に係る同期確立方法は、図６に示す動作例において、手順Ｓ１１７、手順Ｓ１１８及び手順Ｓ１１９を行なわない。
【００４９】
すなわち、図６に示す動作例と同様に、予め定められた一定周期の特定パターンを入力信号から検出して一致カウンタ２１を更新し、一致カウンタ２１の計数する数が予め定められた後方保護段数を連続して超えると同期状態と判定して、一定周期の同期を維持する。
【００５０】
しかし、本実施形態に係る同期確立方法では、同期状態と判定した後は、特定パターンの検出に関わらず一定周期の同期を連続して維持する。例えば、手順Ｓ１１５では、データ比較部１４で入力信号と特定パターンとの比較を行い、入力信号が特定パターンと一致するか否かを判定する。このとき、入力信号が特定パターンと一致しなくても、再度手順Ｓ１１５を実行する。これにより、前方保護状態を維持する。
【００５１】
図８に、前方保護状態を維持する場合の再同期判定部１２の構成例を示す。前方保護状態を維持する場合、再同期判定部１２は、しきい値判定部２３と、制御信号コントロール部２４と、再サーチ開始判定部２５と、アライメント設定値判定部２６と、を備える。
【００５２】
しきい値判定部２３には、再サーチ開始しきい値と、パターンミスマッチ量が入力される。再サーチ開始しきい値は、同期確立回路１０１の外部から入力される値であり、予め定められた前方保護段数に相当する。パターンミスマッチ量は、前方保護状態において、カウンタ部１５から入力される不一致カウンタ２２のカウンタ値に相当する。
【００５３】
しきい値判定部２３は、パターンミスマッチ量が再サーチ開始しきい値を超えたか否かを判定する。パターンミスマッチ量が再サーチ開始しきい値を超えた場合、しきい値判定部２３は、再サーチフラグを制御信号コントロール部２４に出力し、何ビットずらすのかを示すシフト量を再サーチ開始判定部２５に出力し、直前のアライメント設定値をアライメント設定値判定部２６に出力する。
【００５４】
パターンミスマッチ量が再サーチ開始しきい値を超えない場合、しきい値判定部２３は、再サーチフラグ及びシフト量を出力せず、最新のアライメント設定値をアライメント設定値判定部２６に出力する。
【００５５】
制御信号コントロール部２４は、再サーチ開始フラグを出力するか否かを制御する。例えば、制御信号コントロール部２４には、前方保護維持スイッチ１１から再サーチオン信号又は再サーチオフ信号が入力される。再サーチオン信号の場合、制御信号コントロール部２４は、制御信号を、再サーチ開始判定部２５及びアライメント設定値判定部２６に出力する。一方、再サーチオフ信号の場合、制御信号コントロール部２４は、制御信号を、再サーチ開始判定部２５及びアライメント設定値判定部２６に出力しない。
【００５６】
アライメント設定値判定部２６は、しきい値判定部２３からのアライメント設定値と、制御信号コントロール部２４からの制御信号の両方が入力されると、アライメント設定値を出力する。
【００５７】
再サーチ開始判定部２５は、しきい値判定部２３からのシフト量と、制御信号コントロール部２４からの制御信号の両方が入力されると、再サーチ開始フラグをビットのシフト量と共に出力する。
【００５８】
この場合、制御信号コントロール部２４に再サーチオフ信号が入力されると、制御信号コントロール部２４からは制御信号が出力されない。このため、前方保護維持スイッチ１１を用いて再サーチオフ信号を再同期判定部１２に入力することで、再サーチ開始フラグの出力を防ぐことができる。これにより、特定パターンの検出に関わらず一定周期の同期を連続して維持することができる。
【００５９】
（実施形態２）
本実施形態に係る誤り率測定装置は、図１に示すシリアル−パラレル変換部９２、データアライメント部９１及び同期確立回路１０１と、エラー検出回路（不図示）と、を備え、本実施形態に係る誤り率測定方法を実行する。
【００６０】
本実施形態に係る誤り率測定方法は、シリアル−パラレル変換手順と、実施形態１で説明した同期確立方法を実行する同期確立手順と、データアライメント手順と、エラー検出手順と、を順に有する。
【００６１】
シリアル−パラレル変換手順では、シリアル−パラレル変換部９２が、シリアル信号をパラレル信号に変換する。同期確立手順では、実施形態１で説明した同期確立方法を実行する。すなわち、同期確立回路１０１に、データアライメント部９１からのパラレル信号が入力信号として入力される。そして、同期確立回路１０１は、同期状態と判定した後は、特定パターンの検出に関わらず一定周期の同期を連続して維持する。
【００６２】
データアライメント手順では、データアライメント部９１が、前記一定周期の同期を維持するアライメント値を用いて、前記シリアル−パラレル変換手順で変換されたパラレル信号のデータを前記アライメント値に従ってシフトする。エラー検出手順では、エラー検出回路（不図示）が、データアライメント手順でデータをシフトされたパラレル信号に含まれる符号誤りを検出する。
【００６３】
本実施形態に係る同期確立回路１０１は、パターンの再サーチを行なわず、同期がとれていたときと同じような動作を継続する。したがって、本実施形態に係る誤り率測定装置又は誤り率測定方法を実現することで、特定パターンと異なるエラーを含むパターンを受信しても、特定パターンの再サーチを行なわず、データアライメント部９１から出力されるパラレル信号に含まれる符号誤りを検出し続けることができる。
【産業上の利用可能性】
【００６４】
本発明は、データ通信を行なう被測定物を試験するための誤り率測定装置に適用することができるため、情報通信産業に適用することができる。
【符号の説明】
【００６５】
１１：前方保護維持スイッチ
１２：再同期判定部
１３：特定パターン格納部
１４：データ比較部
１５：カウント部
２１：一致カウンタ
２２：不一致カウンタ
２３：しきい値判定部
２４：制御信号コントロール部
２５：再サーチ開始判定部
２６：アライメント設定値判定部
９１：データアライメント部
９２：シリアル−パラレル変換部
１０１：同期確立回路
【図１】
2011082890.tif 000003
【図２】
2011082890.tif 000004
【図３】
2011082890.tif 000005
【図４】
2011082890.tif 000006
【図５】
2011082890.tif 000007
【図６】
2011082890.tif 000008
【図７】
2011082890.tif 000009
【図８】
2011082890.tif 000010